(57)【要約】【課題】  携帯しやすく、手に持ちやすく、メモを記入しやすく、メモしたメモ用紙の紛失を防止することができる、使い勝手の良好なメモパッドホルダーを提供する。【解決手段】  メモパッドを片面に載せて支持しうる基板部材を有し、上記基板部材には上記メモパッドを固定して、メモ用紙を露呈させた状態で保持しうるメモパッド取付部として切り込みが形成されている。また、上記基板部材において上記切り込みが設けられた一端の反対側の端部には、上記メモパッドのメモ用紙の束を押え止め可能な固定部材としてゴムバンドが取り付けられている。また、上記基板部材における裏面部には、メモ書きしたメモ用紙を切り取って収納しうるポケットが設けられ、上記基板部材の相対向する二側縁部は湾曲形成されている。【選択図】  図４
0003126882.tif 000002
【実用新案登録請求の範囲】
【請求項１】
冊子状に綴じられた複数枚のメモ用紙を備えたメモパッドを保持しうるメモパッドホルダーであって、
上記メモパッドを片面に載せて支持しうる基板部材を有し、上記基板部材には上記メモパッドを固定して、メモ用紙を露呈させた状態で保持しうるメモパッド取付部が形成され、    
上記メモパッド取付部として、上記基板部材における表面部の一端に、上記メモパッドの台紙を差し込み可能な線状の切り込みが形成されていることを特徴とするメモパッドホルダー。
【請求項２】
上記基板部材において上記切り込みが設けられた一端の反対側の端部には、上記メモパッドのメモ用紙の束を押え止め可能な固定部材が設けられていることを特徴とする請求項１記載のメモパッドホルダー。
【請求項３】
上記固定部材としてゴムバンドが上記基板部材に取り付けられていることを特徴とする請求項２記載のメモパッドホルダー。
【請求項４】
上記基板部材における裏面部には、メモ書きしたメモ用紙を切り取って収納しうるポケットが設けられていることを特徴とする請求項１〜３のいずれかに記載されたメモパッドホルダー。
【請求項５】
上記基板部材は片手で把持しうる大きさの略方形に形成されると共に、相対向する二側縁部は、互いに同方向へ湾曲する円弧状に湾曲形成されていることを特徴とする請求項１〜４のいずれかに記載されたメモパッドホルダー。
【考案の詳細な説明】
【技術分野】
【０００１】
本考案はメモパッドホルダー、特に、冊子状に綴じられた複数枚のメモ用紙を備えたメモパッドを保持しうるメモパッドホルダーに関する。
【背景技術】
【０００２】
メモパッドホルダーは、冊子状に綴じられた複数枚のメモ用紙に、台紙と表紙が取り付けられて構成されている。
【０００３】
このようなメモパッドはテーブル等の上に置いて、例えば電話の用件をメモする場合等に使用されることが多い。
【０００４】
しかしながら、外出先等では、手にメモパッドを持ってメモをとる場合も多く、そのような場合、上記メモパッドのみでは携帯しにくいという不具合がある。
【０００５】
また、手でメモパッドを持つ場合、掌で台紙を支えることになるが、掌で把持しにくいという不具合がある。
【０００６】
また、掌で台紙を支えた状態であっても、台紙が曲がったりして不安定であり、メモ用紙に記入しにくいという不具合もある。
【０００７】
また、連続してメモする場合は、メモしたメモ用紙を切り取って手で把持している必要があるが、そのメモ用紙が落下して紛失してしまうという不具合もある。
【０００８】
本出願人は上記の不具合を解消しうるメモパッド関連商品について調査したが、関連する先行技術文献を発見することができなかった、
【考案の開示】
【考案が解決しようとする課題】
【０００９】
そこで本考案の課題は、携帯しやすく、手に持ちやすく、メモを記入しやすく、メモしたメモ用紙の紛失を防止することができる、使い勝手の良好なメモパッドホルダーを提供することにある。
【課題を解決するための手段】
【００１０】
上記課題を解決するために、請求項１記載の本考案に係るメモパッドホルダーは、冊子状に綴じられた複数枚のメモ用紙を備えたメモパッドを保持しうるメモパッドホルダーであって、上記メモパッドを片面に載せて支持しうる基板部材を有し、上記基板部材には上記メモパッドを固定して、メモ用紙を露呈させた状態で保持しうるメモパッド取付部が形成され、上記メモパッド取付部として、上記基板部材における表面部の一端に、上記メモパッドの台紙を差し込み可能な線状の切り込みが形成されていることを特徴としている。
【００１１】
すなわち、本考案に係るメモパッドホルダーでは、上記基板部材によりメモパッドを保持した状態で携帯することができ、外出先で使用することができる。
また、メモパッドホルダーは、上記基板部材の上に載せて固定され、メモパッドのメモ用紙は表紙部材等に覆われることなく露呈した状態で保持されるので、メモ用紙を取り出す場合に煩雑さがない。
また、上記メモパッドを固定するために、上記基板部材にメモパッド取付部として線状の切り込みが設けられるだけなので、構造がシンプルであり、容易に形成することができる。
また、メモパッドを上記基板部材に固定する場合は、メモパッドの台紙を上記切り込みに差し込むだけでよいので、容易に装着することができる。
【００１２】
また、本考案に係る上記メモパッドホルダーは、上記基板部材において上記切り込みが設けられた一端の反対側の端部には、上記メモパッドのメモ用紙の束を押え止め可能な固定部材が設けられている。
【００１３】
上記のように、メモパッドを上記基板部材に固定する場合に、メモパッドの台紙を上記切り込みに差し込むだけでは、メモパッドの固定が不十分であり、上記台紙が上記切り込みから脱出して、メモパッドが上記基板部材から落下する心配がある。
そこで、メモパッドの固定をより確実なものとするために、上記の固定部材が設けられている。
したがって、上記固定部材により、メモパッドのメモ用紙の束における反切り込み側の端部が上記固定部材により押え止めされるので、たとえ、上記台紙が上記切り込みから脱出した場合であっても、メモパッドが上記基板部材から落下することはない。
また、屋外でメモをとる場合、風が吹いたりしてメモ用紙が意に反して捲れてしまい、筆記しにくい場合があるが、上記固定部材によりメモ用紙の捲れを防止できるので、屋外でも支障なくメモをとることができる。
【００１４】
また、本考案に係る上記メモパッドホルダーは、上記固定部材としてゴムバンドが上記基板部材に取り付けられている。
【００１５】
すなわち、メモ用紙の束を押え止めする場合、固定手段の構造が複雑化しないように上記ゴムバンドが使用されている。
また、メモ用紙は切り取られてメモパッドの厚さは次第に減少するので、メモパッドの厚さの変化に対応できる固定手段を選択する必要がある。その点、上記ゴムバンドは弾力性を有し、メモパッドの厚さが減少しても固定力を保持しうるので、固定手段としては最適である。
【００１６】
また、本考案に係る上記メモパッドホルダーは、上記基板部材における裏面部には、メモ書きしたメモ用紙を切り取って収納しうるポケットが設けられている。
【００１７】
すなわち、メモ書きしたメモ用紙は、次のメモ用紙にメモする場合に邪魔になるので、捲る必要があるが、捲ったメモ用紙を指で押えているのは煩雑であり、切り取って保管したい場合が多い。
そのような場合に、切り取ったメモ用紙を、即座に上記ポケットに収納して保管することができるので、紛失を防止することができる。
【００１８】
また、本考案に係る上記メモパッドホルダーは、上記基板部材は片手で把持しうる大きさの略方形に形成されると共に、相対向する二側縁部は、互いに同方向へ湾曲する円弧状に湾曲形成されている。
【００１９】
すなわち、外出先でメモをとる場合、上記基板部材を手で保持する必要があるので、上記上記基板部材は片手で把持しうる大きさに形成されている。
また、上記基板部材を掌に載せて把持する場合、掌はカーブしているので、上記基板部材の側縁部が直線であると、掌とフィットせず、把持しにくい。
そこで、上記基板部材を把持した場合に掌にフィットして使い勝手が向上するように、上記基板部材における相対向する二側縁部は、掌にフィットしうる曲率を有し、互いに同方向へ湾曲する円弧状に湾曲形成されている。
【考案の効果】
【００２０】
請求項１記載の本考案に係るメモパッドホルダーは、冊子状に綴じられた複数枚のメモ用紙を備えたメモパッドを保持しうるメモパッドホルダーであって、上記メモパッドを片面に載せて支持しうる基板部材を有し、上記基板部材には上記メモパッドを固定して、メモ用紙を露呈させた状態で保持しうるメモパッド取付部が形成されていることから、メモパッドを上記基板部材に固定した状態で使用することができる。したがって、メモパッドを上記基板部材に取り付けた状態で携帯することができるので、外出先等でも簡便に使用することができる。また、手で持って使用する場合に、上記基板部材を掌で把持することができ、メモ用紙に書き込む場合は、メモパッドが上記基板部材によって支持されるので安定性が良く、使い勝手が良好である。また、メモパッドのメモ用紙が上記基板部材に露呈した状態で保持されるので、メモしたい場合に即座にメモできるという利便性がある。
また、上記メモパッド取付部として、上記基板部材における表面部の一端に、上記メモパッドの台紙を差し込み可能な線状の切り込みが形成されていることから、上記メモパッドの台紙を上記切り込みに差し込むだけで容易にメモパッドを上記基板部材により保持することができる。
【００２１】
請求項２記載の本考案に係るメモパッドホルダーは、上記基板部材において上記切り込みが設けられた一端の反対側の端部には、上記メモパッドのメモ用紙の束を押え止め可能な固定部材が設けられていることから、上記固定部材によりメモ用紙が意に反して捲れてしまうことを防止することができる。したがって、メモ用紙が不本意に捲れるのを防止するためにケースに表紙部材を設ける必要がなく、ケースの構造をシンプルにすることができる。
【００２２】
請求項３記載の本考案に係るメモパッドホルダーは、上記固定部材としてゴムバンドが上記基板部材に取り付けられていることから、上記固定部材をゴムバンドにより簡易に形成することができ、コスト上昇を回避することができる。
【００２３】
請求項４記載の本考案に係るメモパッドホルダーは、上記基板部材における裏面部に、メモ書きしたメモ用紙を切り取って収納しうるポケットが設けられていることから、切り取ったメモ用紙を上記ポケットに収納することにより紛失を防止することができる。
【００２４】
請求項５記載の本考案に係るメモパッドホルダーは、上記基板部材が片手で把持しうる大きさの略方形に形成されると共に、相対向する二側縁部が掌にフィットしうる曲率を有する円弧状に湾曲形成されていることから、上記基板部材を片手で容易に把持して使用することができ、また、上記基板部材を掌で把持した場合に、上記基板部材の相対向する二側縁部の湾曲具合が掌にフィットするので、掌で把持しやすく使い勝手が良好である。
【考案を実施するための最良の形態】
【００２５】
以下、図面を用いて本考案の実施の形態について説明する。
本実施の形態に係るメモパッドホルダー１１は、図４に示すように、冊子状に綴じられた複数枚のメモ用紙を備えたメモパッド１２を保持しうるメモパッドホルダー１１であって、図１に示すように、上記メモパッド１２を片面に載せて支持しうる基板部材１５を有し、上記基板部材１５には上記メモパッド１２を固定して、メモ用紙１３を露呈させた状態で保持しうるメモパッド取付部２１が形成され、上記メモパッド取付部２１として、上記基板部材１５における表面部の一端に、上記メモパッド１２の台紙１４を差し込み可能な線状の切り込み２２が形成されている。
また、図１及び図４に示すように、上記基板部材１５において上記切り込み２２が設けられた一端の反対側の端部には、上記メモパッド１２のメモ用紙１３の束を押え止め可能な固定部材２３が設けられている。
また、図１及び図４に示すように、上記固定部材２３としてゴムバンド２４が上記基板部材１５に取り付けられている。
また、上記基板部材１５における裏面部には、図３に示すように、メモ書きしたメモ用紙１３を切り取って収納しうるポケット２６が設けられている。
また、図１及び図３に示すように、上記基板部材１５は片手で把持しうる大きさの略方形に形成されると共に、相対向する二側縁部１９，２０は掌にフィットしうる曲率を有する円弧状に湾曲形成されている。
【実施例１】
【００２６】
図は実施例に係るメモパッドホルダー１１を示したものである。
本実施例に係るメモパッドホルダー１１は、図４に示すように、メモパッド１２を保持して、外出する場合に携帯しうるように考案されたものである。
なお、上記メモパッド１２は、図４に示すように、冊子状に綴じられた複数枚のメモ用紙１３が台紙１４の上に保持され、各メモ用紙１３は夫々切り取り可能に形成されている。
【００２７】
本考案に係るメモパッドホルダー１１は、図１〜図４に示すように、上記メモパッド１２を表面部の上に載せて支持するための基板部材１５を有している。
上記基板部材１５は、図２に示すように、革製の表面部材１６と、同じく革製の裏面部材１７と、上記表面部材１６と裏面部材１７の間に配された中板部材１８とにより構成されている。
なお、上記中板部材１８は、図を簡略化したために省略されているが、厚紙等の芯材を革で被覆した構造を有し、適度な剛性を有している。
【００２８】
上記基板部材１５は、掌で把持しうる大きさ、すなわち、幅寸法が８５ｍｍで、長さ寸法が１１５ｍｍの略方形に形成されている。
また、図１及び図３に示すように、基板部材１５の幅方向における相対向する二側縁部１９，２０は湾曲形成されている。
上記基板部材１５の幅寸法及び長さ寸法は、上記メモパッド１２の幅寸法及び長さ寸法より大きく設定されている。
【００２９】
図１に示すように、上記基板部材１５にはメモパッド取付部２１が形成されている。
上記メモパッド取付部２１は、上記基板部材１５における長さ方向の一端に配置されている。
上記メモパッド取付部２１は、上記表面部材１６に幅方向に沿って線状の切り込み２２を設けることにより形成されている。上記切り込み２２の長さ寸法は、上記メモパッド１２の幅寸法より僅かに大きく設定されている。
【００３０】
図１に示すように、上記基板部材１５の表面部において、長さ方向における反切り込み２２側の端部には、幅方向に沿って、上記メモパッド１２のメモ用紙１３の束を押え止め可能な固定部材２３が配置されている。
【００３１】
上記固定部材２３としては、弾力性及び伸縮性を有し、幅寸法が１０ｍｍのゴムバンド２４が使用されている。
【００３２】
図２に示すように、上記基板部材１５の表面部において、上記表面部材１６と上記中板部材１８の間には、上記切り込み２２を開口部とする台紙収納空間２５が形成されている。
上記台紙収納空間２５には上記切り込み２２からメモパッド１２の台紙１４を差し込んで、図４に示すように保持することができる。
【００３３】
図４に示すように、上記メモパッド１２のメモ用紙１３の束は、上記基板部材１５における上記表面部材１６の上に載置することができ、上記メモ用紙１３の束における上記ゴムバンド２４側の端部は、上記ゴムバンド２４と上記表面部材１６との間に、上記ゴムバンド２４の弾力性を利用して挟持することにより固定することができる。
【００３４】
図３に示すように、上記基板部材１５における裏面部には、上記中板部材１８と上記裏面部材１７との間にポケット２６が形成されている。上記ポケット２６は、上記基板部材１５における幅方向の一端部に、一方の凹状に湾曲した側縁部２０と平行に湾曲した開口部２７を有している。
【００３５】
上記ポケット２６には、メモして切り取ったメモ用紙１３を上記開口部２７から挿入して保持することができる。
【００３６】
図１及び図３に示すように、上記基板部材１５における幅方向の二側縁部１９，２０は上記のように、互いに同一方向に湾曲形成されているが、上記側縁部１９，２０は、掌にフィットしうるカーブとなるような曲率をもって形成されている。
【００３７】
次に、上記実施例の作用について説明する。
外出する際に上記メモパッド１２を携帯する場合、図４に示すように、上記メモパッド１２を本考案に係るメモパッドホルダー１１に装着することができる。
すなわち、上記メモパッドホルダー１１によりメモパッド１２を保持した状態で携帯することができる。
【００３８】
メモパッドホルダー１１によりメモパッド１２を保持するには、メモパッド１２の台紙１４を上記切り込み２２から上記台紙収納空間２５に差し込めばよい。
したがって、上記基板部材１５に対し上記メモパッド１２を容易に取り付けることができ、使い勝手が良い。
【００３９】
上記基板部材１５に取り付けた上記メモパッド１２は、上記台紙１４が上記切り込み２２から意に反して脱出してしまう虞がある。したがって、上記基板部材１５に対する上記メモパッド１２の固定具合を強化する必要がある。
本考案に係るメモパッドホルダー１１では、上記基板部材１５の長さ方向の端部に配置された上記ゴムバンド２４と、上記表面部材１６との間に上記メモ用紙１３の束を挟んで押え止めすることができるので、メモパッド１２が安定的に固定されるので、メモパッド１２が上記基板部材１５から脱落する可能性は少ない。
また、屋外でメモ用紙１３にメモする際は、風に吹かれてメモ用紙１３が意に反して捲れてしまう不具合があるが、上記のようにメモ用紙１３を上記ゴムバンド２４で押え止めすることにより、そのような不具合も解消する。
【００４０】
メモしたメモ用紙１３は切り取って保管する必要があるが、本考案に係るメモパッドホルダー１１にあっては、上記基板部材１５の裏面部に上記ポケット２６が設けられているので、切り取ったメモ用紙１３は上記ポケット２６に収納して保管することができる。
したがって、メモをとったメモ用紙１３の紛失を防止することができる。
【００４１】
また、上記基板部材１５は片手で把持しうる大きさの略方形に形成されているので、屋外でメモをとる場合に、掌で上記基板部材１５を把持した状態でメモ用紙１３にメモを書き込むことができる。
その場合、上記基板部材１５における幅方向の相対向する二側縁部１９，２０は、掌にフィットしうる曲率を有する円弧状に湾曲形成されているので、上記基板部材１５が掌に馴染んで把持しやすいことから、使い勝手が頗る良好である。
即ち、図1において、図中左方へ膨出する側縁部１９を、左手の親指側の手のひらに当てると共に、人差し指から小指までで他の側縁部２０を把持して、基板部材１５を保持する。この場合、単に長方形状の基板部材の場合に比して、上記側縁部１９が凸状に形成されると共に、側縁部２０が凹状に形成されていることから、手のひら及び指に引っかかりやすく、筆記時に手で保持しやすい。
なお、具体的な構成に関しては、本実施の形態に限定されない。
【産業上の利用可能性】
【００４２】
本考案は、メモパッドを携帯するためのケースに適用可能である。
【図面の簡単な説明】
【００４３】
【図１】本考案の実施例に係るメモパッドホルダーの平面図である。
【図２】図１のＡ−Ａ断面図である。
【図３】本考案の実施例に係るメモパッドホルダーの底面図である。
【図４】本考案の実施例に係るメモパッドホルダーがメモパッドを保持した状態を示す斜視図である。
【符号の説明】
【００４４】
１１  メモパッドホルダー
１２  メモパッド
１３  メモ用紙
１４  台紙
１５  基板部材
１６  表面部材
１７  裏面部材
１８  中板部材
１９  側縁部
２０  側縁部
２１  メモパッド取付部
２２  切り込み
２３  固定部材
２４  ゴムバンド
２５  台紙収納空間
２６  ポケット
２７  開口部
【図１】
0003126882.tif 000003
【図２】
0003126882.tif 000004
【図３】
0003126882.tif 000005
【図４】
0003126882.tif 000006